(57)【要約】【課題】画像表示画素を用いる画像表示方法および画像による広告方法において、偽輪郭を利用してかつ制御的に所定の表示対象を表示すること。【解決手段】肉眼でフリッカが感じられない周波数で点滅する画素であって該点滅がある発光デューティ比であるものを集合させて中間調表示し、この中間調表示された画素集合のうち表示させる対象に相当する画素集合の発光位相を、残りの画素集合の発光位相と異ならせ、この発光位相の異ならせた画素集合を、中間調表示された画素集合内で切り替え移動させる。発光位相の反転させられた画素集合を、中間調表示された画素集合内で切り替え移動させるという動作はさせなくてもよい。【選択図】図１
2005208357.tif 000002
【特許請求の範囲】
【請求項１】
肉眼でフリッカが感じられない周波数で点滅する画素であって該点滅がある発光デューティ比であるものを集合させて中間調表示し、
前記中間調表示された画素集合のうち表示させる対象に相当する画素集合の発光位相を、残りの画素集合の発光位相と異ならせ、
前記発光位相の異ならせた画素集合を、前記中間調表示された画素集合内で切り替え移動させる
ことを特徴とする画像表示方法。
【請求項２】
肉眼でフリッカが感じられない周波数で点滅する画素であって該点滅がある発光デューティ比であるものを集合させて中間調表示し、
前記中間調表示された画素集合のうち表示させる対象に相当する画素集合の発光位相を、残りの画素集合の発光位相と異ならせる
ことを特徴とする画像表示方法。
【請求項３】
前記点滅が、カラー画像を表示するための任意のひとつまたはふたつの色についての点滅であることを特徴とする請求項１または２記載の画像表示装置。
【請求項４】
肉眼でフリッカが感じられない周波数で点滅する画素であって該点滅がある発光デューティ比であるものを集合させて中間調表示し、
前記中間調表示された画素集合のうち表示させる対象に相当する画素集合の発光位相を、残りの画素集合の発光位相と異ならせ、
前記発光位相の異ならせた画素集合を、前記中間調表示された画素集合内で切り替え移動させる
ことを特徴とする画像による広告方法。
【請求項５】
肉眼でフリッカが感じられない周波数で点滅する画素であって該点滅がある発光デューティ比であるものを集合させて中間調表示し、
前記中間調表示された画素集合のうち表示させる対象に相当する画素集合の発光位相を、残りの画素集合の発光位相と異ならせる
ことを特徴とする画像による広告方法。
【請求項６】
前記点滅が、カラー画像を表示するための任意のひとつまたはふたつの色についての点滅であることを特徴とする請求項４または５記載の画像による広告方法。
【発明の詳細な説明】
【技術分野】
【０００１】
本発明は、画像表示画素を用いる画像表示方法および画像による広告方法に係り、特に、無表示と表示とが特殊な条件により切り替わる画像表示方法および画像による広告方法に関する。
【背景技術】
【０００２】
ある種の画像表示装置では、中間調の表示にアナログ的な発光強度の制御が困難なためディジタル的に発光デューティ比を変化させてこれを行うものがある。その代表的なものがＰＤＰ（plasma display panel）であり、有機ＥＬ（electroluminescent）表示装置でもこのような方式のものがある。ディジタル的に発光デューティ比を変化させて中間調を表示する場合、偽輪郭と呼ばれる画質劣化の発生が知られており、一般の画像表示装置ではこれをいかに防止するかが問題になる。
【０００３】
偽輪郭は、発光位相の大きく異なる中間調画素同士がたまたま隣接し、その隣接部分が所定速度で移動する場合に肉眼で認知される。これは、発光位相の反転が空間的移動に変換されたものと考えることができる。このような偽輪郭の発生のしくみについては例えば下記非特許文献１に説明がある。
【非特許文献１】「ＰＤＰの高画質化技術」，雑誌ＦＵＪＩＴＳＵ，富士通株式会社，１９９８年５月，第５４巻，第６号，ｐ．２１０
【発明の開示】
【発明が解決しようとする課題】
【０００４】
偽輪郭の発生は、一般の画像表示装置では避けるべき画質劣化のひとつでしかない。しかしながら、意図的に制御された形態で発生させることによれば有用な画像表示方法あるいは広告方法にできるはずである。
【０００５】
本発明は、上記の事情を考慮してなされたもので、画像表示画素を用いる画像表示方法および画像による広告方法において、偽輪郭を利用してかつ制御的に所定の表示対象を表示することによって画像を表示する画像表示方法および画像による広告方法を提供することを目的とする。
【課題を解決するための手段】
【０００６】
上記の課題を解決するため、本発明に係る画像表示方法は、肉眼でフリッカが感じられない周波数で点滅する画素であって該点滅がある発光デューティ比であるものを集合させて中間調表示し、前記中間調表示された画素集合のうち表示させる対象に相当する画素集合の発光位相を、残りの画素集合の発光位相と異ならせ、前記発光位相の異ならせた画素集合を、前記中間調表示された画素集合内で切り替え移動させることを特徴とする。
【０００７】
このような構成で、より典型的には、「ある発光デューティ比」を「ほぼ１／２の発光デューティ比」と、「発光位相と異ならせ」を「発光位相と反転させ」と、それぞれすることができる。この典型的な場合、発光位相の反転、非反転の境界に偽輪郭が発生し得る。ここで、その境界のうち反転位相の画素が非反転位相の画素にとって代わられる境界と、反対に非反転位相の画素が反転位相の画素にとって代わられる境界とでは、偽輪郭の発生態様が反対になる。一方は点滅の「点」に相当する輝度の偽輪郭になり、他方は「滅」に相当する輝度の偽輪郭になる。例えば、表示させる対象を左下から右上に移動するようにその中間調表示された画素集合を所定速度で切り替え移動すると、表示させる対象の上側の輪郭と右側の輪郭とは同一輝度の輪郭になり、下側の輪郭と左側の輪郭とは逆の同一輝度の輪郭となる。これらの輪郭により表示させる対象が中間調表示の中に浮かび上がる。よって、偽輪郭を利用してかつ制御的に所定の表示対象を表示することができる。なお、「ある発光デューティ比」、「発光位相と異ならせ」を採用した場合（より一般的な場合）には、擬似輪郭の発生が上記典型的な場合ほどにはくっきりしなくなる。しかしなおその作用・効果は存在する。この典型的な場合と一般的な場合との構成の違いについては以下でも同様である。
【０００８】
また、本発明に係る別の画像表示方法は、肉眼でフリッカが感じられない周波数で点滅する画素であって該点滅がある発光デューティ比であるものを集合させて中間調表示し、前記中間調表示された画素集合のうち表示させる対象に相当する画素集合の発光位相を、残りの画素集合の発光位相と異ならせることを特徴とする。
【０００９】
この方法では、「前記発光位相の異ならせた画素集合を、前記中間調表示された画素集合内で切り替え移動させる」という動作をさせない。これは、画像表示面そのものが視界の中を所定速度で移動する場合や、逆に画像表示面に対して相対的に視界が所定速度で移動する場合を想定したものである。これらの移動の場合は、反転させられた画素集合を中間調表示された画素集合内で切り替え移動させなくても、視界との相対的移動により肉眼は偽輪郭を認知する。したがって、偽輪郭を利用してかつ制御的に所定の表示対象を表示することができる。
【００１０】
なお、前記点滅は、カラー画像を表示するための任意のひとつまたはふたつの色についての点滅である、としてもよい。点滅のもっともわかりやすい態様は、「点」としての白と「滅」としての黒とであり、それらの中間調は灰色である。これは、カラー画像を表示するための色で見れば、「点」「滅」としてＲ（赤）、Ｇ（緑）、Ｂ（青）の３つすべてが一斉に点滅する態様である。そこで、例えばひとつの色の点滅としてＲのみの点滅であれば、Ｇ、Ｂを点灯させないときは、「点」は赤、「滅」は黒、中間調は黒に寄った赤である。Ｒのみ点滅でＧ、Ｂとも点灯の場合は、「点」は白、「滅」はシアン、中間調は白に寄ったシアンである。
【００１１】
同様に、例えばふたつの色の点滅としてＲおよびＧを同位相で点滅させ、Ｂを点灯させなければ、「点」は黄色、「滅」は黒、中間調は黒に寄った黄色である。ＲおよびＧの同位相点滅でＢを点灯の場合は、「点」は白、「滅」は青、中間調は白に寄った青である。さらに、例えば、Ｒを点滅、ＧをＲと逆位相に点滅、Ｂを点灯させない場合は、一方が赤、他方が緑、中間調が明度の低い黄色となる。同様にその他種々の場合も、任意のひとつまたはふたつの色についての点滅およびその位相とその任意の色以外のものの点灯または消灯とを組み合わせることにより、中間調と「点」「滅」に相当する偽輪郭の色とを選択することができる。なお、当然ながら、３つの色についての点滅およびその位相を組み合わせることにより中間調と偽輪郭の色とを選択することもできる。
【００１２】
以上の画像表示方法についての説明は、本発明に係る画像による広告方法について同様である。
【発明の効果】
【００１３】
本発明によれば、偽輪郭を利用してかつ制御的に所定の表示対象を表示する画像表示方法および画像による広告方法を提供することができる。
【発明を実施するための最良の形態】
【００１４】
以上を踏まえ、以下では本発明の実施形態を図面を参照しながら説明する。図１、図２は、本発明の一実施形態に係る画像表示方法の原理を説明するための図である。図１において、１０は、所定の画素がマトリクス状に配置された画像表示装置を示す。画像表示装置１０としていわゆる時分割輝度表示が可能なものを用意する。例えばＰＤＰや有機ＥＬ表示装置である。
【００１５】
画像表示装置１０の表示領域には、表示の地となる領域１１と表示の対象となる領域１２（ここでは一例として矩形）とがあり、この領域１２は図示のように右上に所定速度で移動しているものとする。画像表示装置１０はカラー表示対応でなくてもよいが、カラー表示対応である場合には、以下の説明での簡単化のため、しばらくはカラー表示させるための各色の画素（例えばＲ、Ｇ、Ｂの各画素）が一斉に点灯または消灯するとして考える。
【００１６】
地領域１１の各画素は、１フレーム（１／６０秒）において前半の１／１２０秒で発光（点灯：白）、後半の１／１２０秒で非発光（消灯：黒）として各フレームが構成、表示されているものとする。地領域１１は、このような１／１２０秒ごとの点滅（６０Ｈｚ）でその中間の輝度（灰色）に表示され、点滅（フリッカ）は肉眼では検知できない。フリッカは、表示輝度や周囲の明るさにもよるが４０〜５０Ｈｚより低周波数では検知されることが知られている。地領域１１は、すなわち、フリッカが感じられない周波数で点滅する画素であってその点滅がほぼ２分の１の発光デューティ比であるものを集合させて中間調表示している。
【００１７】
地領域１１に対して、対象領域１２の各画素は、１フレームのおいて前半の１／１２０秒で非発光、後半の１／１２０秒で発光として（すなわち発光位相が地領域１１とは反対に）各フレームが構成、表示されているものとする。対象領域１２も、このような１／１２０秒ごとの点滅でその中間の輝度（灰色）に表示され、点滅は肉眼では検知できない。よって、対象領域１２も、フリッカが感じられない周波数で点滅する画素であってその点滅がほぼ２分の１の発光デューティ比であるものを集合させて中間調表示している。以上より、地領域１１、対象領域１２ともに表示は同じ灰色であり、表示装置１０上には何ら表示されない（対象領域１２が見えない）と一見考えられる。
【００１８】
図２は、図１における対象領域１２の地領域１１との各境界付近１３、１４、１５、１６の画素における時間ごとの変化およびその見え方を説明する図である。まず、図２（ａ）は、縦方向に境界付近１３の上下方向または境界付近１４の左右方向の画素を示し、横方向に時間を示す。上記説明のように領域１１では１フレームにおいて点灯（図で無地）、消灯（図でドットパターン）の順、領域１２では１フレームにおいて消灯、点灯の順に制御がされている。そして、対象領域１２が移動することにより、１フレームごとに地領域１１と対象領域１２との境が図示するように１画素ずつ変化する。
【００１９】
このとき、肉眼では、図で「黒」と記載されたところでのみ常に発光がないことを検知する。この位置では、時間方向にみて発光のないフレーム内期間が重なるからである。この「黒」の検知の両側では当然ながら表示輝度そのままの灰色の検知である。よって、地領域１１と対象領域１２との境が、黒として灰色の表示中に浮かび上がる。
【００２０】
一方、図２（ｂ）は、縦方向に境界付近１５の上下方向または境界付近１６の左右方向の画素を示す、横方向に時間を示す。この場合には、対象領域１２が移動することにより、肉眼は図で「白」と記載されたところでのみ常に発光していることを検知する。この位置では、時間方向にみて発光しているフレーム内期間が重なるからである。この「白」の検知の両側は当然ながら表示輝度そのままの灰色の検知である。したがって、地領域１１と対象領域１２との境が、白として灰色の表示中に浮かび上がる。
【００２１】
以上まとめると、対象領域１２が右上に移動するとその上辺および右辺では黒の輪郭が、下辺および左辺では白の輪郭がそれぞれ形成されるので、対象領域１２はこれらの輪郭線により見える（表示される）ことになる。なお、以上の説明からわかるように、対象領域１２の移動方向が反対の時、または各画素の点灯位相が全く反対の時には輪郭として現れる輝度は上記の説明とは正反対になる。また、対象領域１２の移動が完全に上下方向であれば、その移動方向に一致する左右辺の輪郭は現れず、移動が完全に左右方向であればその移動方向に一致する上下辺の輪郭は現れない。
【００２２】
以上では、簡単のため、白黒の表示の場合を説明したが、画像表示装置１０がカラー表示対応の場合には、中間調表示の色と対象領域１２の輪郭として表示させる色とは、それら各カラー画素について点滅およびその位相、または点灯／消灯を制御することにより種々の選択が可能である。これについてはすでに説明をした。換言して再度言及すると、１フレームを構成する前半の色表示と後半の色表示との中間調（この「中間調」は白黒の場合のほか混色による中間調を含んでいる。）が輪郭を除く領域の表示になり、輪郭は、その前半の色表示か後半の色表示のいずれかの色になる。
【００２３】
また、以上の説明では、対象領域１２を所定速度で移動（１フレームごとに１画素相当分の移動）させているが、画像表示装置１０上に対象領域１２の移動が全くない場合にも、視認状態によっては、対象領域１２は認知される。すなわち、肉眼による視点が画像表示装置１０に対して相対的に上記説明の速度で移動する場合である。この場合にも対象領域１２の輪郭が発生する原理は上記と同様に説明することができる。視点が画像表示装置１０に対して相対的に上記説明の速度で移動するようにするためには、画像表示装置１０自体を移動させるか視点の方が移動するようにするか、さらにはその両方の適用が考えられる。
【００２４】
例えば、画像表示装置１０自体の移動として考えられるのは、車両などの移動体の側面に画像表示装置１０を配設した場合である。この場合には、視界の中を画像表示装置１０の表示面が移動するので、その移動速度が上記所定の速度相当になっている場合に対象領域１２の輪郭が肉眼で検知される。このように視認状態により見やすい状態になったりそうではない状態になったりすることは、通常の画像表示では好ましいことではない場合がほとんどであるが、広告媒体として考えるとある特定の効果があるものと考えられ有用である。
【００２５】
一方、視点の方が移動するようにするには、例えば車窓から見やすい位置に画像表示装置１０を固定配設した場合が考えられる。この場合にも、視界の中を画像表示装置１０の表示面が移動することになるので、その移動速度が上記所定の速度相当になっている場合に対象領域１２の輪郭が肉眼で検知される。やはり、その表示を広告媒体として考えるとある特定の効果があるものと考えられる。
【００２６】
なお、さらに補足すると、上記の説明（画像表示装置１０上で対象領域１２を所定速度で移動させる説明）では、１フレームごとに１画素相当分の移動として説明をしたが、要は、対象領域１２の移動が視界中で所定の相対速度になれば肉眼は輪郭を検知するので、画像表示装置１０上での対象領域１２の移動速度は上記の場合に限られる必要はない。画像表示装置１０自体の移動や視点の移動と組み合わせることにより多様な移動をさせてもよい。
【００２７】
また、上記では、発光デューティ比がほぼ１／２で、地領域と対象領域とで発光位相を反転する場合を説明したが、すでに説明したように、より一般的に「ある発光デューティ比」を採用して、この発光デューティ比を実現するように地領域と対象領域とで発光位相を異ならせるだけでも、擬似輪郭の発生効果はある。これは、その場合に対応して図２のような図を書いてみれば明らかである。
【００２８】
さらに、上記では、意図的な擬似輪郭を生じさせる場合について説明をしているが、当然ながら同じ表示装置の中で意図的な擬似輪郭を生じさせない表示部分については、通常の表示装置として使用することができる。
【００２９】
図３は、本発明の別の実施形態に係る画像表示方法を説明するための図である。この実施形態は、図示するように、上記説明の画像表示装置１０を用い、地領域１１の中に、より実際的な対象領域１２を設け表示させようとするものである。対象領域１２の移動は、例えば図３（ｂ）に示すような変形円運動、図３（ｂ）に示すような三角波状など多様な移動が考えられる。または、対象領域１２を図示のように並進移動させるほかに回転を加えた移動をさせてもよい。さらには、対象領域１２の形状は時間的に一定していなくてもよい。例えばアメーバのような時間的形状変化（いわゆるモーフィング）も考えられる。
【産業上の利用可能性】
【００３０】
本発明は、例えば街頭における広告媒体の一方法、あるいは例えばパソコン画面のスクリーンセーバ用の画像表示方法として使用することができる。広告業は産業であり、またパソコンは多種多様な産業で利用されおり、したがって、産業上の利用可能性を有する。
【図面の簡単な説明】
【００３１】
【図１】本発明の一実施形態に係る画像表示方法の原理を説明するための図。
【図２】図１の続図であって、本発明の一実施形態に係る画像表示方法の原理を説明するための図。
【図３】本発明の別の実施形態に係る画像表示方法を説明するための図。
【符号の説明】
【００３２】
１０…画像表示装置、１１…地領域、１２…対象領域、１３，１４，１５，１６…境界付近。
【図１】
2005208357.tif 000003
【図２】
2005208357.tif 000004
【図３】
2005208357.tif 000005